(57)【要約】【課題】流動点の低い潤滑油組成物及びその製造方法の提供。【解決手段】エステル系基油と構成単量体に極性基を有さない高分子化合物とを含有する潤滑油組成物であって、下記組成物（Ｌ１）の流動点ＰＰ１（Ｋ）の、下記組成物（Ｌ２）の流動点ＰＰ２（Ｋ）に対する比（ＰＰ１／ＰＰ２）が、１未満である、潤滑油組成物。  組成物（Ｌ１）：前記エステル系基油と前記構成単量体に極性基を有さない高分子化合物とからなる組成物。  組成物（Ｌ２）：前記組成物（Ｌ１）に含まれるのと同質量の前記エステル系基油と、前記組成物（Ｌ１）に含まれる構成単量体に極性基を有さない高分子化合物と同質量のポリメタクリレートからなる組成物。【選択図】なし【特許請求の範囲】
【請求項１】
エステル系基油と構成単量体に極性基を有さない高分子化合物とを含有する潤滑油組成物であって、
下記組成物（Ｌ１）の流動点ＰＰ１（Ｋ）の、下記組成物（Ｌ２）の流動点ＰＰ２（Ｋ）に対する比（ＰＰ１／ＰＰ２）が、１未満である、潤滑油組成物。
組成物（Ｌ１）：前記エステル系基油と前記前記構成単量体に極性基を有さない高分子化合物とからなる組成物。
組成物（Ｌ２）：前記組成物（Ｌ１）に含まれるエステル系基油と同一かつ同質量のエステル系基油と、前記組成物（Ｌ１）に含まれる構成単量体に極性基を有さない高分子化合物と同質量のポリメタクリレートからなる組成物。
【請求項２】
前記組成物（Ｌ１）の４０℃動粘度は、前記組成物（Ｌ２）の４０℃動粘度に対して±３０％以内である、請求項１に記載の潤滑油組成物。
【請求項３】
前記組成物（Ｌ２）におけるポリメタクリレートの質量平均分子量は、前記組成物（Ｌ１）における構成単量体に極性基を有さない高分子化合物の質量平均分子量の０．５〜２倍の範囲である、請求項１または２に記載の潤滑油組成物。
【請求項４】
潤滑油組成物の製造方法であって、
エステル系基油と構成単量体に極性基を有さない高分子化合物とを混合する工程を含み、
下記組成物（Ｌ１）の流動点ＰＰ１（Ｋ）の、下記組成物（Ｌ２）の流動点ＰＰ２（Ｋ）に対する比（ＰＰ１／ＰＰ２）が、１未満である、潤滑油組成物の製造方法。
組成物（Ｌ１）：前記エステル系基油と前記前記構成単量体に極性基を有さない高分子化合物とからなる組成物。
組成物（Ｌ２）：前記組成物（Ｌ１）に含まれるエステル系基油と同一かつ同質量のエステル系基油と、前記組成物（Ｌ１）に含まれる構成単量体に極性基を有さない高分子化合物と同質量のポリメタクリレートからなる組成物。
【発明の詳細な説明】
【技術分野】
【０００１】
本発明は、潤滑油組成物及びその製造方法に関する。
【背景技術】
【０００２】
潤滑油は、機械要素間の潤滑のために用いられる油であり、多くの機械装置に用いられている。この潤滑油を、機械の可動部分に介在させることで、相接する固体間の摩擦が低減し、摩擦熱の発生や摩耗が抑制される。これにより、機械装置を安定に運転し続けることができる。
【０００３】
潤滑油には、ベースオイル（基油）に、様々な添加剤が加えられる。
例えば、粘度指数向上剤は、基油の温度による粘度変化を抑え、高温時の潤滑油の潤滑性の低下や低温時の粘性抵抗の増加によるエネルギー効率の低下等を抑制することがきできる。粘度指数向上剤としては、オレフィンコポリマー、スチレン−ジエンコポリマー、ポリイソブチレン、ポリメタクリレート等が知られている（例えば、特許文献１参照）。
また、流動点降下剤は、低温における潤滑油中のろう分の結晶化を抑制し、潤滑油の流動点を低下させ，潤滑油の適用温度範囲を広げることができる。流動点降下剤としては、ポリメタクリレート、アルキル化芳香族化合物、マレエート／フマレートコポリマーエステル等が知られている（例えば、特許文献１及び２参照）。
【０００４】
一方、潤滑油の粘度低下及び流動点降下を図るために、基油としてエステル系基油を用いることについても検討されている（例えば、特許文献３参照）。
【先行技術文献】
【特許文献】
【０００５】
【特許文献１】特表２０１７−５２８５８８号公報
【特許文献２】特開２０１８−０８０２１６号公報
【特許文献３】特開２０１４−１８９５５５号公報
【発明の概要】
【発明が解決しようとする課題】
【０００６】
寒冷地や高空のような低温環境で潤滑油を使用する場合は、更なる低温特性の改善が求められる。鉱油系基油を使用した潤滑油に対しては、流動点を降下させる手法としてポリメタクレートやアルキル化芳香族化合物等の流動点降下剤の添加が有効であることが知られている。一方で、エステル系基油に対して有効な流動点降下方法が見出されていなかった。エステル系基油の構造設計を変更することにより動粘度を維持したまま流動点降下を図ることが可能な場合があるが、製造コストが増大してしまうという問題があった。
本発明は、上記事情に鑑みてなされたものであって、流動点の低い潤滑油組成物及びその製造方法を提供することを課題とする。
【課題を解決するための手段】
【０００７】
上記の課題を解決するために、本発明は以下の構成を採用した。
すなわち、本発明の第１の態様は、エステル系基油と構成単量体に極性基を有さない高分子化合物とを含有する潤滑油組成物であって、
下記組成物（Ｌ１）の流動点ＰＰ１（Ｋ）の、下記組成物（Ｌ２）の流動点ＰＰ２（Ｋ）に対する比（ＰＰ１／ＰＰ２）が、１未満である、潤滑油組成物である。
組成物（Ｌ１）：前記エステル系基油と前記構成単量体に極性基を有さない高分子化合物とからなる組成物。
組成物（Ｌ２）：前記組成物（Ｌ１）に含まれるエステル系基油と同一かつ同質量のエステル系基油と、前記組成物（Ｌ１）に含まれる構成単量体に極性基を有さない高分子化合物と同質量のポリメタクリレートからなる組成物。
【０００８】
本発明の第２の態様は、潤滑油組成物の製造方法であって、
エステル系基油と構成単量体に極性基を有さない高分子化合物とを混合する工程を含み、
下記組成物（Ｌ１）の流動点ＰＰ１（Ｋ）の、下記組成物（Ｌ２）の流動点ＰＰ２（Ｋ）に対する比（ＰＰ１／ＰＰ２）が、１未満である、潤滑油組成物の製造方法である。
組成物（Ｌ１）：前記エステル系基油と前記構成単量体に極性基を有さない高分子化合物とからなる組成物。
組成物（Ｌ２）：前記組成物（Ｌ１）に含まれるエステル系基油と同一かつ同質量のエステル系基油と、前記組成物（Ｌ１）に含まれる構成単量体に極性基を有さない高分子化合物と同質量のポリメタクリレートからなる組成物。
【発明の効果】
【０００９】
本発明によれば、流動点の低い潤滑油組成物及びその製造方法を提供することができる。
【発明を実施するための形態】
【００１０】
（潤滑油組成物）
本実施形態の潤滑油組成物は、エステル系基油と構成単量体に極性基を有さない高分子化合物とを少なくとも含有するものであり、必要に応じてその他成分を含有してもよい。当該潤滑油組成物においては、下記組成物（Ｌ１）の流動点ＰＰ１（Ｋ）の、下記組成物（Ｌ２）の流動点ＰＰ２（Ｋ）に対する比（ＰＰ１／ＰＰ２）が、１未満であることに特徴があり、これ以外の構成については公知の種々の潤滑油組成物を適用できる。
組成物（Ｌ１）：前記エステル系基油と前記構成単量体に極性基を有さない高分子化合物とからなる組成物。
組成物（Ｌ２）：前記組成物（Ｌ１）に含まれるエステル系基油と同一かつ同質量のエステル系基油と、前記組成物（Ｌ１）に含まれる構成単量体に極性基を有さない高分子化合物と同質量のポリメタクリレートからなる組成物。
【００１１】
本実施形態の潤滑油組成物において、下記組成物（Ｌ１）の流動点ＰＰ１（Ｋ）の、下記組成物（Ｌ２）の流動点ＰＰ２（Ｋ）に対する比（ＰＰ１／ＰＰ２）は、１未満であり、０．９９５以下であることが好ましく、０．９９０以下であることがより好ましい。
構成単量体に極性基を有さない高分子化合物を用いることにより、ポリメタクリレートより大きな流動点降下効果を得ることができる。
【００１２】
前記（ＰＰ１／ＰＰ２）比における流動点ＰＰ１及び流動点ＰＰ２は、絶対温度（Ｋ）で表した値である。本明細書において、摂氏０度（０°Ｃ）は２７３．１５ケルビン度（Ｋ）とする。
本発明において、流動点ＰＰ１及び流動点ＰＰ２は、ＪＩＳ  Ｋ  ２２６９（１９８７）に準拠した方法により測定される流動点を示す。
流動点ＰＰ１は特に限定されないが、１９３．１５Ｋ（−８０℃）以上が好ましい。また、流動点ＰＰ１は２５３．１５Ｋ（−２０℃）以下が好ましく、２４８．１５Ｋ（−２５℃）以下がより好ましい。流動点ＰＰ１が上記の好ましい範囲内であることにより、潤滑油組成物を寒冷条件下で使用しやすくなる。
【００１３】
＜基油＞
本実施形態の潤滑油組成物は、基油として少なくともエステル系基油を含有する。エステル系基油としては、植物油もしくは合成油又はこれらの混合油を含むものが挙げられる。具体的には、本実施形態におけるエステル系基油としては、有機酸エステル系基油、りん酸エステル系基油、けい酸エステル系基油等が挙げられる。なかでも、流動点降下及び粘度指数向上の観点から、有機酸エステル系基油が好ましく、モノエステル系基油がより好ましい。
【００１４】
本実施形態の潤滑油組成物において、エステル系基油は、１種のみが用いられてもよく、２種以上が組み合わされ用いられてもよい。
【００１５】
本実施形態の潤滑油組成物は、エステル系基油以外の基油を含有してもよい。エステル系基油以外の基油としては、米国石油協会（American Petroleum Institute：API）での
ベースオイルの分類における、グループＩ〜Ｖのいずれも用いることができる。
本実施形態において、エステル系基油の含有量は、潤滑油組成物の総量に対して、５０質量％以上が好ましく、７０質量％以上がより好ましく、９０質量％以上が更に好ましい。エステル系基油の含有量が上記の好ましい範囲内であることにより、流動点降下の効果が得られやすい。
【００１６】
（構成単量体に極性基を有さない高分子化合物）
本実施形態において、構成単量体に極性基を有さない高分子化合物（以下、「高分子化合物（Ｐ）」という場合がある）は、構成単量体に極性基を有さないものであれば特に限定されない。高分子化合物（Ｐ）としては、例えばエチレン−プロピレン共重合体、ポリイソブチレン等のオレフィンコポリマーが挙げられる。
高分子化合物（Ｐ）の質量平均分子量（Ｍｗ）は、特に限定されず、１００００以上が好ましく、３００００以上がより好ましく、４００００以上が更に好ましい。また、質量平均分子量（Ｍｗ）は、５００００００以下が好ましく、４００００００以下がより好ましく、３００００００以下が更に好ましい。
オレフィンコポリマーの質量平均分子量（Ｍｗ）は、ゲル浸透クロマトグラフィー（ＧＰＣ）により測定することができる。
【００１７】
本実施形態の潤滑油組成物において、前記組成物（Ｌ２）におけるポリメタクリレートの質量平均分子量は、前記組成物（Ｌ１）における構成単量体に極性基を有さない高分子化合物の質量平均分子量の０．５〜２倍の範囲であることが好ましい。
前記組成物（Ｌ２）におけるポリメタクリレートの質量平均分子量が上記の好ましい範囲内である場合、流動点降下の効果がより発現しやすくなる。
【００１８】
本実施形態の潤滑油組成物において、高分子化合物（Ｐ）は、１種のみが用いられてもよく、２種以上が組み合わされ用いられてもよい。
【００１９】
本実施形態において、高分子化合物（Ｐ）の含有量（質量基準）は、基油の種類又は用途等に応じて適宜決定され、例えば、潤滑油組成物の総量（１００質量％）に対して、０．０１質量％以上が好ましく、０．０３質量％以上がより好ましく、０．０５質量％以上が更に好ましい。また、高分子化合物（Ｐ）の含有量（質量基準）は、潤滑油組成物の総量（１００質量％）に対して、５０質量％以下が好ましく、３０質量％以下がより好ましく、２０質量％以下が更に好ましい。
高分子化合物（Ｐ）の含有量が、前記の好ましい範囲の下限値以上であれば、流動点降下の効果が充分に発現されるようになる。一方、高分子化合物（Ｐ）の含有量が前記の好ましい範囲の上限値を超えても、その添加量に見合う向上効果が得られにくくなる。
【００２０】
本実施形態の潤滑油組成物の４０℃動粘度は、１ｍｍ２／ｓ以上が好ましく、１．５ｍｍ２／ｓ以上がより好ましく、１．８ｍｍ２／ｓ以上が更に好ましい。また、本実施形態の潤滑油組成物の４０℃動粘度は、５００ｍｍ２／ｓ以下が好ましく、４９０ｍｍ２／ｓ以下がより好ましく、４８０ｍｍ２／ｓ以下が更に好ましい。潤滑油組成物の４０℃動粘度が前記の好ましい範囲の下限値以上であれば、油膜の形成能が高められやすくなる。一方、潤滑油組成物の４０℃動粘度が前記の好ましい範囲の上限値以下であれば、低温での粘度上昇が抑えられやすくなる。
本発明において「動粘度」は、ＪＩＳ  Ｋ  ２２８３（２０００）に準拠した方法により測定される、温度４０℃における動粘度を示す。
【００２１】
本実施形態の潤滑油組成物において、前記組成物（Ｌ１）の４０℃動粘度は、前記組成物（Ｌ２）の４０℃動粘度に対して±３０％以内であることが好ましく、±２０％以内であることがより好ましく、±１０％以内であることが更に好ましい。
前記組成物（Ｌ１）の４０℃動粘度が、上記の好ましい範囲内であることにより、潤滑油組成物に含まれる構成単量体に極性基を有さない高分子化合物の量が少ない場合であっても、流動点降下の効果がより発現されやすくなる。
【００２２】
本実施形態における潤滑油組成物の粘度指数は、１００以上が好ましく、１２０以上がより好ましい。
潤滑油組成物の粘度指数が、前記の好ましい範囲の下限値以上であれば、温度による粘度変化が抑えられやすくなる。一方、潤滑油組成物の粘度指数が前記の好ましい範囲の上限値以下であれば、基油入手の選択性の幅が広がり、製造が容易になる。
本発明において「潤滑油組成物の粘度指数」は、ＪＩＳ  Ｋ  ２２８３（２０００）に準拠した方法により測定できる。
【００２３】
本実施形態の潤滑油組成物は、本発明の効果を損なわない範囲で、その他の成分を含有してもよい。本実施形態の潤滑油組成物が含有してもよい、その他成分としては、例えば、さび止め剤（防錆剤）、泡消し剤（消泡剤）、摩擦調整剤、粘度指数向上剤、金属不活性剤、流動点降下剤、解乳化剤、金属系清浄剤、無灰分散剤、摩耗防止剤又は極圧剤、腐食防止剤などが挙げられる。
【００２４】
従来、鉱油系基油を使用した潤滑油に対しては、流動点を降下させる手法としてポリメタクレートやアルキル化芳香族化合物等の流動点降下剤の添加が有効であることが知られている。一方で、エステル系基油に対して有効な流動点降下方法が見出されていなかった。
本実施形態の潤滑油組成物においては、前記組成物（Ｌ１）の流動点ＰＰ１（Ｋ）の、前記組成物（Ｌ２）の流動点ＰＰ２（Ｋ）に対する比（ＰＰ１／ＰＰ２）が１未満である。すなわち、エステル系基油と前記構成単量体に極性基を有さない高分子化合物（高分子化合物（Ｐ））とからなる組成物（Ｌ１）の流動点ＰＰ１が、組成物（Ｌ１）に含まれるエステル系基油と同一かつ同質量のエステル系基油と、組成物（Ｌ１）に含まれる高分子化合物（Ｐ）と同質量のポリメタクリレートからなる組成物（Ｌ２）の流動点ＰＰ２より低い。そのため、本実施形態の潤滑油組成物は、流動点が低く、寒冷条件下で好適に用いることができる。
上記のような効果が得られる理由は定かではないが、以下のように推測される。本実施形態の潤滑油組成物は、エステル系基油と、高分子化合物（Ｐ）とを含有する。エステル系基油は、極性基を有する。一方、高分子化合物（Ｐ）は、構成単量体に極性基を有さない。そのため、高分子化合物（Ｐ）がエステル系基油の分子間に入り込み、エステル系基油の結晶化を防止し、流動点を低下させていると推測される。
【００２５】
本実施形態の潤滑油組成物は、流動点が低いので、特に寒冷条件下で使用する潤滑油として好適に使用することができる。
【実施例】
【００２６】
以下、本発明の効果を実施例及び比較例を用いて詳細に説明するが、本発明は下記の実施例に限定されるものではない。
【００２７】
＜潤滑油組成物の製造＞
表１〜５に示す各成分を混合し、各例の潤滑油組成物を調製した。
【００２８】
【表１】
2020180284.tif 000002
【００２９】
【表２】
2020180284.tif 000003
【００３０】
【表３】
2020180284.tif 000004
【００３１】
【表４】
2020180284.tif 000005
【００３２】
【表５】
2020180284.tif 000006
【００３３】
表１〜５中、各略号はそれぞれ以下の意味を有する。［  ］内の数値は潤滑油組成物全量（１００質量％）に対する質量％である。
ＢＯ−１：ｎ−ブチルオレート
ＢＯ−２：２−エチルヘキシルミリステート
ＢＯ−３：ネオペンチルグリコールモノオレエート
ＢＯ−４：鉱油（グループＩ。動粘度：６．５ｍｍ２／ｓ）
ＢＯ−５：鉱油（グループＩ。動粘度：２３ｍｍ２／ｓ）
ＯＣＰ−１：エチレン−プロピレン共重合体（Ｍｗ（質量平均分子量。以下同様。）＝１２万）
ＯＣＰ−２：エチレン−プロピレン共重合体（Ｍｗ＝２３万）
ＰＭＡ−１：ポリメタクリレート（Ｍｗ＝１７万）
ＰＭＡ−２：ポリメタクリレート（Ｍｗ＝４万）
ＰＩＢ：ポリイソブチレン（Ｍｗ＝２００万）
【００３４】
得られた各例の潤滑油組成物について、以下の方法により流動点及び４０℃動粘度を測定した。結果を表６〜１０に示す。
【００３５】
［流動点］
潤滑油組成物についての流動点（℃又はＫ）は、ＪＩＳ  Ｋ  ２２６９（１９８７）に準拠した方法により測定した。
【００３６】
［流動点比］
潤滑油組成物の流動点比（ＰＰ１／ＰＰ２）は、以下の通りとした。
実施例１及び比較例１の潤滑油組成物については、参考例２の潤滑油組成物の流動点ＰＰ２を基準とした。
実施例２及び３、ならびに比較例２の潤滑油組成物については、参考例３の潤滑油組成物の流動点ＰＰ２を基準とした。
実施例４及び５の潤滑油組成物については、参考例５の潤滑油組成物の流動点ＰＰ２を基準とした。
比較例５及び７の潤滑油組成物については、参考例７の潤滑油組成物の流動点ＰＰ２を基準とした。
比較例６及び８の潤滑油組成物については、参考例８の潤滑油組成物の流動点ＰＰ２を基準とした。
実施例６の潤滑油組成物については、参考例１０の潤滑油組成物の流動点ＰＰ２を基準とした。
実施例７の潤滑油組成物については、参考例１１の潤滑油組成物の流動点ＰＰ２を基準とした。
比較例９の潤滑油組成物については、参考例１３の潤滑油組成物の流動点ＰＰ２を基準とした。
比較例１０の潤滑油組成物については、参考例１４の潤滑油組成物の流動点ＰＰ２を基準とした。
【００３７】
［４０℃動粘度］
潤滑油組成物についての動粘度（ｍｍ２／ｓ）は、ＪＩＳ  Ｋ  ２２８３（２０００）に準拠して測定した。なお、組成物（Ｌ２）の４０℃動粘度に対する組成物（Ｌ１）の４０℃動粘度の差（％）も各表に「Ｌ１／Ｌ２（％）」として併記する。
【００３８】
【表６】
2020180284.tif 000007
【００３９】
表６に示される結果から、エステル系基油とオレフィンコポリマーとからなる実施例１の潤滑油組成物（組成物（Ｌ１））の流動点ＰＰ１は、実施例１の潤滑油組成物に含まれるエステル系基油と同一かつ同質量のエステル系基油と、実施例１の潤滑油組成物に含まれるオレフィンコポリマーと同質量のポリメタクリレートＰＭＡ−２とからなる参考例２の潤滑油組成物（組成物（Ｌ２））の流動点ＰＰ２より低いことが確認された。
また、実施例１の潤滑油組成物の流動点ＰＰ１は、実施例１の潤滑油組成物に含まれるオレフィンコポリマーと同質量のポリメタクリレートＰＭＡ−１とからなる比較例１の潤滑油組成物の流動点より低いことが確認された。
【００４０】
同様に、エステル系基油とオレフィンコポリマーとからなる実施例２及び４の潤滑油組成物（組成物（Ｌ１））の流動点ＰＰ１は、実施例２及び４の潤滑油組成物に含まれるエステル系基油と同一かつ同質量のエステル系基油と、実施例２及び４の潤滑油組成物に含まれるオレフィンコポリマーと同質量のポリメタクリレートＰＭＡ−２とからなる参考例３の潤滑油組成物（組成物（Ｌ２））の流動点ＰＰ２より低いことが確認された。
また、実施例２及び４の潤滑油組成物の流動点ＰＰ１は、実施例２及び４の潤滑油組成物に含まれるオレフィンコポリマーと同質量のポリメタクリレートＰＭＡ−１とからなる比較例２の潤滑油組成物の流動点より低いことが確認された。
【００４１】
また、表６に示される結果から、実施例１〜３潤滑油組成物は、添加剤の添加量に関わらず、比較例１〜２及び参考例１〜３の潤滑油組成物と同等の４０℃動粘度が得られることが確認された。
【００４２】
【表７】
2020180284.tif 000008
【００４３】
表７に示される結果から、エステル系基油とオレフィンコポリマーとからなる実施例４及び５の潤滑油組成物（組成物（Ｌ１））の流動点ＰＰ１は、実施例４及び５の潤滑油組成物に含まれるエステル系基油と同一かつ同質量のエステル系基油と、実施例４及び５の潤滑油組成物に含まれるオレフィンコポリマーと同質量のポリメタクリレートＰＭＡ−２とからなる参考例５の潤滑油組成物（組成物（Ｌ２））の流動点ＰＰ２より低いことが確認された。
【００４４】
また、表７に示される結果から、実施例４及び５潤滑油組成物は、参考例４及び５の潤滑油組成物と同等の４０℃動粘度が得られることが確認された。
【００４５】
【表８】
2020180284.tif 000009
【００４６】
表８に示される結果から、エステル系基油には該当しない鉱油とオレフィンコポリマーとからなる比較例５及び７の潤滑油組成物（組成物（Ｌ１））の流動点ＰＰ１は、比較例５及び７の潤滑油組成物に含まれる鉱油と同一かつ同質量の鉱油と、比較例５及び７の潤滑油組成物に含まれるオレフィンコポリマーと同質量のポリメタクリレートＰＭＡ−２とからなる参考例７の潤滑油組成物（組成物（Ｌ２））の流動点ＰＰ２より高いことが確認された。
また、エステル系基油には該当しない鉱油とオレフィンコポリマーとからなる比較例６及び８の潤滑油組成物（組成物（Ｌ１））の流動点ＰＰ１は、比較例６及び８の潤滑油組成物に含まれる鉱油と同一かつ同質量の鉱油と、比較例６及び８の潤滑油組成物に含まれるオレフィンコポリマーと同質量のポリメタクリレートＰＭＡ−２とからなる参考例８の潤滑油組成物（組成物（Ｌ２））の流動点ＰＰ２より高いことが確認された。
【００４７】
【表９】
2020180284.tif 000010
【００４８】
表９に示される結果から、エステル系基油とオレフィンコポリマーとからなる実施例６の潤滑油組成物（組成物（Ｌ１））の流動点ＰＰ１は、実施例６の潤滑油組成物に含まれるエステル系基油と同一かつ同質量のエステル系基油と、実施例６の潤滑油組成物に含まれるオレフィンコポリマーと同質量のポリメタクリレートＰＭＡ−１とからなる参考例１０の潤滑油組成物（組成物（Ｌ２））の流動点ＰＰ２より低いことが確認された。
【００４９】
同様に、エステル系基油とオレフィンコポリマーとからなる実施例７の潤滑油組成物（組成物（Ｌ１））の流動点ＰＰ１は、実施例７の潤滑油組成物に含まれるエステル系基油と同一かつ同質量のエステル系基油と、実施例７の潤滑油組成物に含まれるオレフィンコポリマーと同質量のポリメタクリレートＰＭＡ−１とからなる参考例１１の潤滑油組成物（組成物（Ｌ２））の流動点ＰＰ２より低いことが確認された。
【００５０】
また、表９に示される結果から、実施例６及び７潤滑油組成物は、参考例９〜１１の潤滑油組成物と同等の４０℃動粘度が得られることが確認された。
【００５１】
【表１０】
2020180284.tif 000011
【００５２】
表１０に示される結果から、エステル系基油には該当しない鉱油とオレフィンコポリマーとからなる比較例９の潤滑油組成物（組成物（Ｌ１））の流動点ＰＰ１は、比較例９の潤滑油組成物に含まれる鉱油と同一かつ同質量の鉱油と、比較例９の潤滑油組成物に含まれるオレフィンコポリマーと同質量のポリメタクリレートＰＭＡ−１とからなる参考例１３の潤滑油組成物（組成物（Ｌ２））の流動点ＰＰ２より高いことが確認された。
同様に、エステル系基油には該当しない鉱油とオレフィンコポリマーとからなる比較例１０の潤滑油組成物（組成物（Ｌ１））の流動点ＰＰ１は、比較例１０の潤滑油組成物に含まれる鉱油と同一かつ同質量の鉱油と、比較例１０の潤滑油組成物に含まれるオレフィンコポリマーと同質量のポリメタクリレートＰＭＡ−１とからなる参考例１４の潤滑油組成物（組成物（Ｌ２））の流動点ＰＰ２より高いことが確認された。
【００５３】
以上の結果から、本願発明を適用した実施例１〜７の潤滑油組成物は、流動点降下の効果が十分に図られたものであることが確認された。